(57)【要約】【課題】映像の動きを検出してリバースチルトドメインを抑制する補正を行う場合に、特に静止画の表示品位の低下を抑える。【解決手段】電気光学装置１の映像処理回路３０は、液晶パネル１００の画素毎に印加電圧を指定した映像信号であって、単位フレーム毎に、第１の映像と、当該第１の映像を平行移動した第２の映像とが交互に切り替わる映像を示す映像信号に基づいて、前記印加電圧が第１電圧である第１画素と、前記印加電圧が前記第１電圧よりも大きい第２電圧である第２画素との境界を検出し、ｋ番目（ｋは自然数）の単位フレームで検出した境界が、ｋ−２番目の単位フレームに存在しないと判定し、且つ、ｋ−１番目からｋ番目の単位フレームにわたって移動した境界と判定した場合に、当該境界に生じる横電界を低減させるように前記印加電圧を補正して、補正した映像信号を、当該映像信号に基づいて液晶パネル１００が駆動されるように出力する。【選択図】図１
2015138149.tif 000002
【特許請求の範囲】
【請求項１】
複数画素を有する液晶パネルの画素毎に印加電圧を指定した映像信号であって、単位フレーム毎に、第１の映像と、当該第１の映像を平行移動した第２の映像とが交互に切り替わる映像を示す映像信号に基づいて、前記印加電圧が第１電圧である第１画素と、前記印加電圧が前記第１電圧よりも大きい第２電圧である第２画素との境界を検出する境界検出部と、
前記境界検出部によりｋ番目（ｋは自然数）の単位フレームで検出された境界が、ｋ−２番目の単位フレームに存在するかどうかを判定する第１判定部と、
前記ｋ番目の単位フレームで検出された境界が、ｋ−１番目からｋ番目の単位フレームにわたって移動した境界かどうかを判定する第２判定部と、
前記ｋ番目の単位フレームで検出された境界のうち、前記第１判定部によりｋ−２番目の単位フレームに存在しないと判定され、且つ、前記第２判定部によりｋ−１番目からｋ番目の単位フレームにわたって移動したと判定された境界に接する画素を補正対象画素とし、当該境界に生じる横電界を低減させるように前記印加電圧を補正する補正部と、
前記補正部により前記印加電圧が補正された映像信号に応じた信号を、当該信号に基づいて前記液晶パネルが駆動されるように出力する出力部と
を備える映像処理回路。
【請求項２】
前記第２判定部は、
前記ｋ番目の単位フレームで検出された境界が、ｋ−１番目からｋ番目の単位フレームにわたって前記第１画素から前記第２画素に変化した画素に接する場合に、前記移動した境界と判定する
ことを特徴とする請求項１に記載の映像処理回路。
【請求項３】
前記第２判定部は、
前記変化した画素に接し、且つ、ｋ−１番目の単位フレームで、ｋ番目の単位フレームとは当該変化した画素を挟んだ反対側で前記境界が検出された場合に、前記移動した境界と判定する
ことを特徴とする請求項２に記載の映像処理回路。
【請求項４】
前記補正部は、
前記ｋ番目の単位フレームで検出された境界のうち、前記移動した境界でない境界に接する画素を、ｋ−２番目の単位フレームで当該画素を挟んで反対側で前記境界が検出された場合に、前記補正対象画素とする
ことを特徴とする請求項１から請求項３のいずれか１項に記載の映像処理回路。
【請求項５】
複数画素を有する液晶パネルの画素毎に印加電圧を指定した映像信号であって、単位フレーム毎に、第１の映像と、当該第１の映像を平行移動した第２の映像とが交互に切り替わる映像を示す映像信号に基づいて、前記印加電圧が第１電圧である第１画素と、前記印加電圧が前記第１電圧よりも大きい第２電圧である第２画素との境界を検出するステップと、
ｋ番目（ｋは自然数）の単位フレームで検出した境界が、ｋ−２番目の単位フレームに存在するかどうかを判定するステップと、
前記ｋ番目の単位フレームで検出した境界が、ｋ−１番目からｋ番目の単位フレームにわたって移動した境界かどうかを判定するステップと、
前記ｋ番目の単位フレームで検出した境界のうち、ｋ−２番目の単位フレームに存在しないと判定し、且つ、ｋ−１番目からｋ番目の単位フレームにわたって移動したと判定した境界に接する画素を補正対象画素とし、当該境界に生じる横電界を低減させるように前記印加電圧を補正するステップと、
前記印加電圧を補正した映像信号に応じた信号を、当該信号に基づいて前記液晶パネルが駆動されるように出力するステップと
を有する映像処理方法。
【請求項６】
複数画素を有する液晶パネルと、
前記液晶パネルの画素毎に印加電圧を指定した映像信号であって、単位フレーム毎に、第１の映像と、当該第１の映像を平行移動した第２の映像とが交互に切り替わる映像を示す映像信号に基づいて、前記印加電圧が第１電圧である第１画素と、前記印加電圧が前記第１電圧よりも大きい第２電圧である第２画素との境界を検出する境界検出部と、
前記境界検出部によりｋ番目（ｋは自然数）の単位フレームで検出された境界が、ｋ−２番目の単位フレームに存在するかどうかを判定する第１判定部と、
前記ｋ番目の単位フレームで検出された境界が、ｋ−１番目からｋ番目の単位フレームにわたって移動した境界かどうかを判定する第２判定部と、
前記ｋ番目の単位フレームで検出された境界のうち、前記第１判定部によりｋ−２番目の単位フレームに存在しないと判定され、且つ、前記第２判定部によりｋ−１番目からｋ番目の単位フレームにわたって移動したと判定された境界に接する画素を補正対象画素とし、当該境界に生じる横電界を低減させるように前記印加電圧を補正する補正部と、
前記補正部により前記印加電圧が補正された映像信号に基づいて、前記液晶パネルを駆動する駆動回路と
を備える電気光学装置。
【請求項７】
前記液晶パネルにより変調された光の光路をシフトさせる光路シフト部と、
前記液晶パネルの駆動に用いられた映像信号が、前記第１の映像又は前記第２の映像のどちらを示すかに応じて、前記光路シフト部を制御するシフト制御回路と
を備えることを特徴とする請求項６に記載の電気光学装置。
【請求項８】
請求項６又は請求項７に記載の電気光学装置を備えた電子機器。
【発明の詳細な説明】
【技術分野】
【０００１】
本発明は、液晶の配向不良により生じる表示不具合の発生を抑える技術に関する。
【背景技術】
【０００２】
液晶パネルは、画素毎に設けられた画素電極と、複数画素で共通に設けられたコモン電極とで液晶を挟持した構成である。液晶パネルでは、隣り合う画素電極同士で生じる横電界に起因して、液晶の配向不良（リバースチルトドメイン）が発生し、これが表示不具合の発生の原因となることがある。この種の表示不具合の発生を抑える技術が、例えば、特許文献１から特許文献３に開示されている。特許文献１は、現フレームで検出した暗画素と明画素との境界のうち、現フレームよりも１フレーム前で検出した境界から変化した部分に接する暗画素に指定された印加電圧を補正することを開示している。特許文献２は、暗画素と明画素との境界を検出し、検出した境界に接する暗画素への印加電圧が電圧Ｖｃを下回る場合に、当該暗画素への印加電圧を電圧Ｖｃに置換することを開示している。特許文献３は、現フレームで検出した暗画素と明画素との境界のうち、現フレームよりも１つ前の前フレームから現フレームにかけて変化した境界を検出し、当該変化した境界に接する画素に指定された印加電圧を、１フレーム期間の一部の期間と他の期間とで異なる電圧に補正することを開示している。
【先行技術文献】
【特許文献】
【０００３】
【特許文献１】特開２０１１−５３３９０号公報
【特許文献２】特開２０１３−１５２４８３号公報
【特許文献３】特開２０１３−１５６４０９号公報
【発明の概要】
【発明が解決しようとする課題】
【０００４】
ところで、プロジェクターにおいて、シフトデバイスとライトバルブの時分割駆動とを組み合わせて、擬似的に解像度を高める技術がある。ライトバルブの時分割駆動では、例えば、１フレームの入力映像信号を２つの単位フレームの映像信号に分割し、１番目の単位フレームと２番目の単位フレームとで映像の表示位置をずらす。このため、液晶パネルが静止画を表示する場合であっても、単位フレーム毎に、各画素に指定される印加電圧が変化する。この場合に、特許文献１、３に記載された技術で、映像の動きを検出して補正対象画素を定めると、静止画の表示中であっても映像の動きを検出することになり、結果、補正対象画素が増大する。この補正対象画素の増大を原因として、静止画の表示品位が低下する場合がある。特許文献２に記載された発明では、静止画であるか動画であるかに関係なく、境界に接する画素が補正対象画素となるので、静止画の表示品位が低下する場合がある。
本発明は、上述した事情に鑑みてなされたもので、その目的の一つは、映像の動きを検出してリバースチルトドメインを抑制する補正を行う場合に、特に静止画の表示品位の低下を抑えることである。
【課題を解決するための手段】
【０００５】
上記目的を達成するために、本発明に係る映像処理回路は、複数画素を有する液晶パネルの画素毎に印加電圧を指定した映像信号であって、単位フレーム毎に、第１の映像と、当該第１の映像を平行移動した第２の映像とが交互に切り替わる映像を示す映像信号に基づいて、前記印加電圧が第１電圧である第１画素と、前記印加電圧が前記第１電圧よりも大きい第２電圧である第２画素との境界を検出する境界検出部と、前記境界検出部によりｋ番目（ｋは自然数）の単位フレームで検出された境界が、ｋ−２番目の単位フレームに存在するかどうかを判定する第１判定部と、前記ｋ番目の単位フレームで検出された境界が、ｋ−１番目からｋ番目の単位フレームにわたって移動した境界かどうかを判定する第２判定部と、前記ｋ番目の単位フレームで検出された境界のうち、前記第１判定部によりｋ−２番目の単位フレームに存在しないと判定され、且つ、前記第２判定部によりｋ−１番目からｋ番目の単位フレームにわたって移動したと判定された境界に接する画素を補正対象画素とし、当該境界に生じる横電界を低減させるように前記印加電圧を補正する補正部と、前記補正部により前記印加電圧が補正された映像信号に応じた信号を、当該信号に基づいて前記液晶パネルが駆動されるように出力する出力部とを備える。
この発明によれば、ｋ番目の単位フレームで検出した境界のうち、ｋ−２番目の単位フレームに存在しないと判定し、且つ、ｋ−１番目からｋ番目の単位フレームにわたって移動したと判定した境界に接する画素を補正対象画素とするので、映像の動きを検出してリバースチルトドメインを抑制する補正を行う場合に、特に静止画の表示品位の低下を抑えることができる。
【０００６】
本発明において、前記第２判定部は、前記ｋ番目の単位フレームで検出された境界が、ｋ−１番目からｋ番目の単位フレームにわたって前記第１画素から前記第２画素に変化した画素に接する場合に、前記移動した境界と判定してもよい。
この発明によれば、ｋ−１番目からｋ番目の単位フレームにわたって移動した境界を、処理量の増大を抑えて判定することができる。
【０００７】
この発明において、前記第２判定部は、前記変化した画素に接し、且つ、ｋ−１番目の単位フレームで、ｋ番目の単位フレームとは当該変化した画素を挟んだ反対側で前記境界が検出された場合に、前記移動した境界と判定してもよい。
この発明によれば、ｋ−１番目からｋ番目の単位フレームにわたって移動した境界を、精度良く判定することができる。
【０００８】
本発明において、前記補正部は、前記ｋ番目の単位フレームで検出された境界のうち、前記移動した境界でない境界に接する画素を、ｋ−２番目の単位フレームで当該画素を挟んで反対側で前記境界が検出された場合に、前記補正対象画素としてもよい。
この発明によれば、ｋ−１番目からｋ番目の単位フレームにわたって移動した境界でない境界に接する画素において、リバースチルトドメインを原因とした表示不具合の発生を抑えることができる。
【０００９】
なお、本発明は、映像処理回路のほか、映像処理方法、電気光学装置及び当該電気光学装置を備えた電子機器としても観念することが可能である。
この電気光学装置において、前記液晶パネルにより変調された光の光路をシフトさせる光路シフト部と、前記液晶パネルの駆動に用いられた映像信号が、前記第１の映像又は前記第２の映像のどちらを示すかに応じて、前記光路シフト部を制御するシフト制御回路とを備えてもよい。
この発明によれば、光路シフト部と液晶パネルの時分割駆動とを組み合わせて、擬似的に解像度を高める場合であっても、映像の動きを検出してリバースチルトドメインを抑制する補正を行うときに、特に静止画の表示品位の低下を抑えることができる。
【図面の簡単な説明】
【００１０】
【図１】本発明の一実施形態に係るプロジェクターの構成を示す平面図。
【図２】同実施形態に係るプロジェクターが備える電気光学装置の全体構成を示す図。
【図３】同電気光学装置の液晶パネルが備える画素の等価回路を示す図。
【図４】同電気光学装置の制御回路の動作の説明図。
【図５】同電気光学装置の時分割駆動及びシフトデバイスの制御の説明図。
【図６】同電気光学装置の液晶パネルのＶ−Ｔ特性を示す図。
【図７】同電気光学装置の液晶パネルで発生するリバースチルトドメインの説明図。
【図８】同電気光学装置の映像処理回路の構成を示す図。
【図９】同電気光学装置で実行される映像処理の流れを示すフローチャート。
【図１０】同電気光学装置が実行する映像処理の具体例の説明図（静止画の場合）。
【図１１】同電気光学装置が実行する映像処理の具体例の説明図（動画の場合）。
【図１２】従来構成に係る映像処理の具体例の説明図。
【発明を実施するための形態】
【００１１】
以下、本発明の実施の形態について図面を参照しつつ説明する。
図１は、本実施形態に係るプロジェクター２１００の構成を示す平面図である。プロジェクター２１００は、３板式の液晶プロジェクター（投射型表示装置）である。プロジェクター２１００は、ライトバルブとして機能する液晶パネル１００Ｒ、１００Ｇ及び１００Ｂに画像を形成することにより、反射型のスクリーン２１２０に画像光を投射する。液晶パネル１００Ｒは、赤（Ｒ）色の画像を形成する液晶パネルである。液晶パネル１００Ｇは、緑（Ｇ）色の画像を形成する液晶パネルである。液晶パネル１００Ｂは、青（Ｂ）色の画像を形成する液晶パネルである。プロジェクター２１００は、Ｒ色、Ｇ色、Ｂ色のそれぞれの原色成分の映像信号がそれぞれ外部上位回路から供給されて、液晶パネル１００Ｒ、１００Ｇ及び１００Ｂがそれぞれ駆動される。
【００１２】
図１に示すように、プロジェクター２１００の内部には、ハロゲンランプ等の白色光源からなるランプユニット２１０２が設けられている。プロジェクター２１００の光源は、例えば、ＬＥＤ（Light Emitting Diode）又は半導体レーザー等の固体光源であってもよい。ランプユニット２１０２が射出した光は、３枚のミラー２１０６及び２枚のダイクロイックミラー２１０８によってＲ色、Ｇ色、Ｂ色の３原色に分離されて、各原色に対応する液晶パネル１００Ｒ、１００Ｇ及び１００Ｂにそれぞれ導かれる。
なお、Ｂ色の光は、他のＲ色やＧ色と比較すると、光路が長いので、その損失を防ぐために、入射レンズ２１２２、リレーレンズ２１２３及び出射レンズ２１２４からなるリレーレンズ系２１２１を介して導かれる。
【００１３】
液晶パネル１００Ｒ、１００Ｇ、１００Ｂによってそれぞれ変調された光は、ダイクロイックプリズム２１１２に３方向から入射する。ダイクロイックプリズム２１１２において、Ｒ色及びＢ色の光は９０度に屈折する一方、Ｇ色の光は直進する。ダイクロイックプリズム２１１２において各原色の画像が合成されて画像光が射出すると、シフトデバイス２００を介して投射レンズ２１１４に入射する。シフトデバイス２００は、ダイクロイックプリズム２１１２からの入射光の光路を平行移動（即ちシフト）させる素子である（光路シフト部の一例）。シフトデバイス２００は、例えば液晶層であり、電圧が印加されていない第１状態のときの屈折率と、電圧が印加された第２状態のときの屈折率とが異なる。投射レンズ２１１４は、シフトデバイス２００を透過した画像光に基づいて、スクリーン２１２０にカラー画像を投射する。
【００１４】
なお、液晶パネル１００Ｒ、１００Ｇ及び１００Ｂには、ダイクロイックミラー２１０８によって、Ｒ色、Ｇ色、Ｂ色のそれぞれに対応する光が入射するので、カラーフィルターを設ける必要はない。また、液晶パネル１００Ｒ、１００Ｂの透過像は、ダイクロイックプリズム２１１２により反射した後に投射されるのに対し、液晶パネル１００Ｇの透過像はそのまま投射されるので、液晶パネル１００Ｒ、１００Ｂによる水平走査方向は、液晶パネル１００Ｇによる水平走査方向と逆向きにして、左右を反転させた像を表示する構成となっている。
【００１５】
プロジェクター２１００は、液晶パネル１００、１００Ｇ、１００Ｇに対するデータ信号の書込動作や、シフトデバイス２００における光路のシフト動作を行うための電気光学装置１を備える。液晶パネル１００Ｒ、１００Ｇ及び１００Ｂのそれぞれの構成や、液晶パネル１００Ｒ、１００Ｇ及び１００Ｂにデータ信号を書き込むための電気光学装置１の動作は、Ｒ、Ｇ、Ｂの各色成分で共通する。このため、以下では、液晶パネル１００Ｒ、１００Ｇ及び１００Ｂを特に区別せずに、「液晶パネル１００」と総称して、電気光学装置１について説明する。
【００１６】
図２は、電気光学装置１の全体構成を示す図である。図２に示すように、電気光学装置１は、制御回路１０と、液晶パネル１００と、走査線駆動回路１３０と、データ線駆動回路１４０とを備える。
制御回路１０には、入力映像信号Ｖｉｄ−ｉｎが同期信号Ｓｙｎｃに同期して入力される。入力映像信号Ｖｉｄ−ｉｎは、液晶パネル１００が備える画素１１０毎に印加電圧を指定したデジタルデータである。入力映像信号Ｖｉｄ−ｉｎは、同期信号Ｓｙｎｃに含まれる垂直走査信号、水平走査信号及びドットクロック信号（いずれも図示省略）に従った走査の順番で供給される。
【００１７】
入力映像信号Ｖｉｄ−ｉｎは、例えば、上位装置から電気光学装置１に供給された各画素の階調値を示す階調信号を変換して得られる信号である。電気光学装置１は、例えば、図示せぬ処理回路によって、階調信号に対してガンマ補正等の所定の処理を行った後に、階調値を電圧値に変換するテーブルを用いて、入力映像信号Ｖｉｄ−ｉｎに変換する。ただし、階調値に応じて画素に指定された印加電圧が一意に定まる場合、入力映像信号Ｖｉｄ−ｉｎは各画素の階調値を指定する信号であってもよい。
【００１８】
制御回路１０は、走査制御回路２０と、映像処理回路３０と、シフト制御回路４０とを備える。走査制御回路２０は、各種の制御信号を生成して、同期信号Ｓｙｎｃに同期して電気光学装置１の各部を制御する。映像処理回路３０は、入力映像信号Ｖｉｄ−ｉｎに対して所定の映像処理を施して、データ信号Ｖｘを出力する。データ信号Ｖｘは、液晶パネル１００における画素１１０毎の印加電圧を指定したアナログデータである。シフト制御回路４０は、液晶パネル１００の駆動に同期して、シフトデバイス２００を制御する。
【００１９】
液晶パネル１００は、素子基板１００ａと対向基板１００ｂとが一定の間隙を保って貼り合わせられるとともに、この間隙に、縦方向の電界で駆動される液晶１０５が挟持された構成である。素子基板１００ａのうち、対向基板１００ｂとの対向面には、ｍ行の走査線１１２が図においてＸ（横）方向に沿って設けられる一方、ｎ列のデータ線１１４が、Ｙ（縦）方向に沿って、且つ各走査線１１２と互いに電気的に絶縁を保つように設けられている。
なお、この実施形態では、走査線１１２を区別するために、図において上から順に１、２、３、…、ｍ行目という呼び方をする場合がある。同様に、データ線１１４を区別するために、図において左から順に１、２、３、４、５、６、…、ｎ−１、ｎ列目という呼び方をする場合がある。
【００２０】
素子基板１００ａでは、走査線１１２とデータ線１１４との交差のそれぞれに対応して、ｎチャネル型のＴＦＴ１１６と、矩形形状で透明性を有する画素電極１１８との組が設けられている。ＴＦＴ１１６のゲート電極は走査線１１２に接続され、ソース電極はデータ線１１４に接続され、ドレイン電極が画素電極１１８に接続されている。
一方、対向基板１００ｂのうち、素子基板１００ａとの対向面には、透明性を有するコモン電極１０８が全面にわたって設けられる。コモン電極１０８には、図示省略した回路によって電圧ＬＣｃｏｍが印加される。
なお、図２において、素子基板１００ａの対向面は紙面裏側であるので、その対向面に設けられる走査線１１２、データ線１１４、ＴＦＴ１１６及び画素電極１１８については、かくれ線（破線）で示すべきであるが、見難くなるのでそれぞれ実線で示す。
【００２１】
図３は、液晶パネル１００における等価回路を示す図である。
図３に示すように、液晶パネル１００は、画素１１０を有する。画素１１０は、走査線１１２とデータ線１１４との交差に対応して、画素電極１１８とコモン電極１０８とで液晶１０５を挟持した液晶素子１２０を備える。画素１１０では、画素電極１１８と、コモン電極１０８とによって生じる電界に応じて、液晶１０５の分子配向状態が変化する。このため、画素１１０（液晶素子１２０）は、透過型であれば、印加・保持電圧に応じた透過率となる。また、液晶パネル１００では、画素１１０毎に透過率が変化する。
図２では図示を省略したが、実際には図３に示すように、画素１１０の各々に対して、並列に補助容量（蓄積容量）１２５が設けられる。補助容量１２５は、一端が画素電極１１８に接続され、他端が容量線１１５に共通接続されている。容量線１１５は時間的に一定の電圧に保たれている。
【００２２】
ここで、走査線１１２がＨレベルになると、その走査線１１２にゲート電極が接続されたＴＦＴ１１６がオンとなり、画素電極１１８がデータ線１１４に接続される。このため、走査線１１２がＨレベルであるときに、データ線１１４にデータ信号Ｖｘに応じた電圧のデータ信号が供給されると、そのデータ信号は、オンしたＴＦＴ１１６を介して画素電極１１８に印加される。走査線１１２がＬレベルになるとＴＦＴ１１６はオフするが、画素電極１１８に印加された電圧は、画素１１０の容量によって保持されるとともに、画素１１０に並列接続された補助容量１２５において保持される。
なお、本実施形態においては、液晶１０５をＶＡ（Vertical Alignment）方式とし、画素１１０の各々が、電圧無印加時において黒状態となるノーマリーブラックモードとする。
【００２３】
図２に戻って説明する。
走査線駆動回路１３０は、走査制御回路２０による制御信号Ｙｃｔｒに従って、１、２、３、…、ｍ行目の走査線１１２に、走査信号Ｙ１、Ｙ２、Ｙ３、…、Ｙｍを供給する。詳細には、走査線駆動回路１３０は、走査線１１２を１、２、３、・・・、ｍ行目という順番で選択するとともに、選択した走査線１１２への走査信号を選択電圧ＶH（Ｈレベル）とし、それ以外の走査線１１２への走査信号を非選択電圧ＶL（Ｌレベル）とする。
ここにおいて、１フレームは、液晶パネル１００を駆動することによって、画像の１コマ分を表示させるのに要する期間であり、同期信号Ｓｙｎｃに含まれる垂直走査信号の周波数が６０Ｈｚであれば、その逆数である１６．７ミリ秒である。１フレームの入力映像信号Ｖｉｄ−ｉｎは、Ｙ方向にｍ画素、Ｘ方向にｎ画素のｍ×ｎ画素の印加電圧を指定する。ｍは、液晶パネル１００において、Ｙ方向に配列した画素１１０の数と同じである。ｎは、液晶パネル１００において、Ｘ方向に配列した画素１１０の数と同じである。
【００２４】
データ線駆動回路１４０は、映像処理回路３０から供給されるデータ信号Ｖｘを、走査制御回路２０による制御信号Ｘｃｔｒに従って、１、２、３、４、５、６、…、ｎ−１、ｎ列目のデータ線１１４に、データ信号Ｘ１、Ｘ２、Ｘ３、Ｘ４、Ｘ５、Ｘ６、…、Ｘｎ−１、Ｘｎとしてサンプリングする。
以上の構成の走査線駆動回路１３０及びデータ線駆動回路１４０は、線順次で液晶パネル１００を駆動する駆動回路（駆動部）を構成する。
なお、この実施形態において、電圧については、画素１１０の印加電圧を除き、特に明記しない限り、図示省略した接地電位を電圧ゼロの基準とする。画素１１０の印加電圧は、コモン電極１０８の電圧ＬＣｃｏｍと画素電極１１８との電圧差であり、他の電圧と区別する。
【００２５】
図４は、制御回路１０の動作を説明する図である。
同期信号Ｓｙｎｃにより制御される液晶パネル１００の垂直走査信号の周波数は、本実施形態では２４０Ｈｚである。図４に示すように、制御回路１０は、１フレームをそれぞれ第１サブフレーム（フィールド）〜第４サブフレームの４つのサブフレームに分割し、分割した各サブフレームで１〜ｍ行目の走査線を走査する、いわゆる４倍速駆動を実現する。すなわち、上位装置から６０Ｈｚの供給速度で供給される入力映像信号Ｖｉｄ−ｉｎに基づいて、制御回路１０は、２４０Ｈｚの駆動速度で液晶パネル１００を駆動する。１サブフレームの期間は、１／４フレーム期間に相当し、ここではおよそ４．１６ミリ秒である。
【００２６】
書込極性について説明すると、制御回路１０は、第１サブフレーム及び第３サブフレームにおいて正極性書込（＋）を指定し、第２サブフレーム及び第４サブフレームにおいて負極性書込（−）を指定する。即ち、制御回路１０は、サブフレーム毎に書込極性を反転して、画素１１０へのデータ信号の書き込みを行う。また、制御回路１０は、１フレームの入力映像信号Ｖｉｄ−ｉｎに基づいて、第１サブフレーム及び第２サブフレームに表示する第１の映像（以下「映像Ａ」という。）を示す映像信号Ｖｉｄと、第３サブフレーム及び第４サブフレームに表示する第２の映像（以下「映像Ｂ」という。）を示す映像信号Ｖｉｄとを生成する。制御回路１０は、映像信号Ｖｉｄに基づいて、映像Ａと映像Ｂとを交互に液晶パネル１００に表示するための時分割駆動を行う。映像Ａは、入力映像信号Ｖｉｄ−ｉｎが示す映像と同じである。映像Ｂは、映像Ａを平行移動（即ちシフト）させた映像で、ここでは、映像ＡをＸ方向に１画素分移動した映像である。映像信号Ｖｉｄは、２サブフレームを単位フレーム（単位期間）として、単位フレーム毎に、映像Ａと映像Ｂとが交互に切り替る映像を示す。このため、単位フレームは、１２０Ｈｚの周期で切り替わる。
【００２７】
シフトデバイス２００を用いたシフト動作について説明すると、シフト制御回路４０は、映像Ａを表示する第１サブフレーム及び第２サブフレームでは、シフトデバイス２００を第１状態とし、映像Ｂを表示する第３サブフレーム及び第４サブフレームでは、シフトデバイス２００を第２状態とする。ここでは、シフト制御回路４０は、第３サブフレーム及び第４サブフレームにおいて、Ｘ方向の反対方向に１／２画素分、且つ、Ｙ方向の反対方向に１／２画素分だけ画像光の光路をシフトさせるように、シフトデバイス２００を制御する。
【００２８】
液晶パネル１００の時分割駆動及びシフトデバイス２００を用いたシフト動作は、プロジェクター２１００において、擬似的に映像の解像度を高めるために行われる。ここで、図５（ａ）に示すように、映像Ａが、比較的暗い色を表示する暗画素からなる背景上に、比較的明るい色を表示する明画素からなる斜線を配置した映像の場合を考える。この場合、映像Ｂは、図５（ｂ）に示す映像となる。液晶パネル１００において、映像Ａ及び映像Ｂが交互に表示された場合、図５（ｃ）に示すとおり、斜線のエッジが滑らかになって、擬似的に映像の解像度が高くなる。
【００２９】
図６は、画素１１０に対する印加電圧と、画素１１０の透過率との関係（Ｖ−Ｔ特性）を示すグラフである。図６に示すグラフにおいて、横軸は画素１１０に指定された印加電圧の大きさを表し、縦軸は画素１１０における透過率（具体的には、相対透過率）の大きさを表す。
液晶パネル１００において、入力映像信号Ｖｉｄ−ｉｎで指定された電圧を、そのまま画素１１０に印加した場合、隣り合う２つの画素１１０間の印加電圧の差に応じて、リバースチルトドメインが発生することがある。一般に、この印加電圧の差が大きいほど、隣り合う２つの画素１１０間の境界付近で、リバースチルトドメインが発生しやすくなる。ノーマリーブラックモードの場合、明画素を示す画素１１０と、暗画素を示す画素１１０とが隣り合ったとき、リバースチルトドメインは、明画素である画素１１０の境界付近の一部の領域で発生する。本実施形態では、暗画素及び明画素について、以下のように規定する。暗画素は、印加電圧がノーマリーブラックモードにおける黒レベルの電圧である第１閾値電圧Ｖｔｈ１を下回る画素１１０である。明画素は、印加電圧がノーマリーブラックモードにおける白レベルの電圧である第２閾値電圧Ｖｔｈ２（ただし、Ｖｔｈ２＞Ｖｔｈ１）を上回る画素１１０である。Ｖｔｈ１は、例えば、液晶素子の相対透過率を１０％とさせる光学的閾値電圧である。Ｖｔｈ２は、例えば、液晶素子の相対透過率を９０％とさせる光学的飽和電圧である。ただし、Ｖｔｈ１及びＶｔｈ２の値は、他の相対透過率に対応した電圧であってもよい。
【００３０】
ここで、図７に示すように、１フレーム、第２フレーム、第３フレーム、第４フレームの順で、暗画素を背景として、明画素が１フレームにつき１画素ずつＸ方向に移動する場合を考える。この場合、映像の動きに伴って暗画素から明画素に変化すべき画素が、リバースチルトドメインの発生によって本来の階調にはならない。これにより、複数の明画素のリバースチルト発生領域が連結して、一種の尾引き現象として顕在化する。
したがって、リバースチルトドメインを原因とした表示不具合を抑えるためには、暗画素から明画素に変化した画素が境界に接する場合に、当該境界に生じる横電界を低減させるように、入力映像信号Ｖｉｄ−ｉｎで指定された印加電圧を補正すればよい。
電気光学装置１の映像処理回路３０は、入力映像信号Ｖｉｄ−ｉｎに基づいて、暗画素と明画素とが隣り合ったときの、暗画素と明画素との間の境界を検出して、当該境界に接する画素１１０に指定された印加電圧を補正するための映像処理を行う。
【００３１】
図８は、映像処理回路３０の構成を示すブロック図である。図８に示すように、映像処理回路３０は、映像信号生成部３１と、境界検出部３２と、補正処理部３３と、Ｄ／Ａ変換部３４とを備える。
映像信号生成部３１は、入力映像信号Ｖｉｄ−ｉｎに基づいて、１フレームの第１サブフレーム及び第２サブフレームで表示する映像Ａを表す映像信号Ｖｉｄと、第３サブフレーム及び第４サブフレームで表示する映像Ｂを表す映像信号Ｖｉｄとを生成し、出力する。
【００３２】
境界検出部３２は、映像信号生成部３１により生成された映像信号Ｖｉｄに基づいて、暗画素と明画素との間の境界をリスク境界として検出する。境界検出部３２は、詳細には、第１境界検出部３２１と、遅延回路３２２と、第２境界検出部３２３と、遅延回路３２４と、第３境界検出部３２５とを含む。
第１境界検出部３２１は、ｋ番目（ｋは自然数）の単位フレームである単位フレームｋの映像信号Ｖｉｄに基づいて、リスク境界を検出する。第１境界検出部３２１は、単位フレームｋで検出した境界の位置を示す位置情報ＲＥ（ｋ）を、補正処理部３３へ出力する。
【００３３】
遅延回路３２２は、映像信号Ｖｉｄに対して、１単位フレーム期間（ここでは、２サブフレーム期間である８．３４ｍｓ）の遅延を与えて、第２境界検出部３２３に出力する。このため、第２境界検出部３２３は、ｋ−１番目の単位フレームである単位フレームｋ−１の映像信号Ｖｉｄに基づいて、リスク境界を検出する。第２境界検出部３２３は、単位フレームｋ−１で検出したリスク境界の位置を示す位置情報ＲＥ（ｋ−１）を、補正処理部３３へ出力する。
【００３４】
遅延回路３２４は、入力された映像信号Ｖｉｄに対して、２単位フレーム期間（ここでは、４サブフレーム期間である１６．６７ｍｓ）の遅延を与えて、第３境界検出部３２５に出力する。このため、第３境界検出部３２５は、ｋ−２番目の単位フレームである単位フレームｋ−２の映像信号Ｖｉｄに基づいて、リスク境界を検出する。第３境界検出部３２５は、単位フレームｋ−２で検出したリスク境界の位置を示す位置情報ＲＥ（ｋ−２）を、補正処理部３３へ出力する。
なお、遅延回路３２２、３２４における蓄積及び読出は、走査制御回路２０によって制御される。
【００３５】
補正処理部３３は、映像信号生成部３１から供給された映像信号Ｖｉｄに対する補正処理を行い、出力映像信号Ｖｉｄ−ｏｕｔとして出力する。補正処理部３３は、具体的には、第１判定部３３１と、第２判定部３３２と、補正部３３３とを有する。
第１判定部３３１は、第１境界検出部３２１により単位フレームｋで検出されたリスク境界が、単位フレームｋ−２に存在するかどうかを判定する。第１判定部３３１は、位置情報ＲＥ（ｋ）と位置情報ＲＥ（ｋ−２）とに基づいて、同じ位置にリスク境界を検出したかどうかを判定する。
【００３６】
第２判定部３３２は、単位フレームｋで検出されたリスク境界が、単位フレームｋ−１から単位フレームｋにわたって移動したリスク境界かどうかを判定する。ここにおいて、第２判定部３３２は、以下の（判定Ｉ）及び（判定II）からなる判定処理を行う。
（判定Ｉ）単位フレームｋで検出されたリスク境界が、単位フレームｋ−１から単位フレームｋにわたって暗画素から明画素に変化した画素に接するかどうか。
（判定II）単位フレームｋ−１において、単位フレームｋとは当該変化した画素を挟んだ反対側でリスク境界を検出したかどうか。
【００３７】
第２判定部３３２は、（判定Ｉ）及び（判定II）の２つの判定結果が「ＹＥＳ」である場合に、単位フレームｋ−１から単位フレームｋにわたって移動したリスク境界と判定する。
なお、（判定Ｉ）について、第２判定部３３２は、単位フレームｋ−１の映像信号Ｖｉｄと、単位フレームｋの映像信号Ｖｉｄとに基づいて判定する。（判定II）について、第２判定部３３２は、位置情報ＲＥ（ｋ−１）と位置情報ＲＥ（ｋ）とに基づいて判定する。
【００３８】
補正部３３３は、単位フレームｋで検出されたリスク境界のうち、第１判定部３３１が単位フレームｋ−２に存在しないと判定し、且つ、第２判定部３３２が単位フレームｋ−１から単位フレームｋにわたって移動したと判定したリスク境界に接する画素を、補正対象画素とする。そして、補正部３３３は、リスク境界に生じる横電界を低減させるように、補正対象画素の映像信号Ｖｉｄを補正して、出力映像信号Ｖｉｄ−ｏｕｔとする。補正対象画素は、例えば、リスク境界に接する暗画素と明画素との少なくとも一方を含むが、更に多くの画素を含んでいてもよい。補正部３３３は、暗画素を補正対象画素にする場合には、映像信号Ｖｉｄで指定された印加電圧を高くする方向に補正し、例えば、図６に示す印加電圧Ｖｃ１を指定する映像信号に補正する。補正部３３３は、明画素を補正対象画素にする場合には、映像信号Ｖｉｄで指定された印加電圧を低くする方向に補正し、例えば、図６に示す印加電圧Ｖｃ２を指定する映像信号に補正する（ただし、Ｖｃ２＞Ｖｃ１）。
なお、補正部３３３は、例えば、補正前後の印加電圧の関係を指定したルックアップテーブ又は演算式に基づいて、映像信号Ｖｉｄを補正してもよい。また、補正部３３３は、１フレームの全体で映像信号Ｖｉｄを補正するのではなく、１フレームの一部期間のみで補正してもよいし、１フレームの一部の期間と他の期間とで異なる印加電圧を指定する映像信号に補正してもよい。
【００３９】
Ｄ／Ａ変換部３４は、デジタルデータである出力映像信号Ｖｉｄ−ｏｕｔを、アナログのデータ信号Ｖｘに変換して出力する（出力部の一例）。Ｄ／Ａ変換部３４は、出力映像信号Ｖｉｄ−ｏｕｔに基づいて、データ信号Ｖｘを液晶パネル１００へ出力する。即ち、Ｄ／Ａ変換部３４は、補正処理部３３（補正部３３３）により補正された映像信号に基づいて液晶パネル１００が駆動されるように、データ信号Ｖｘをデータ線駆動回路１４０へ出力する。
なお、液晶１０５に直流成分が印加されるのを防止するため、データ信号Ｖｘの電圧は、ビデオ振幅中心である電圧Ｖｃｎｔに対して高電位側の正極性電圧と低電位側の負極性電圧とに、ここではサブフレーム毎に交互に切り替えられる。
なお、コモン電極１０８に印加される電圧ＬＣｃｏｍは、電圧Ｖｃｎｔとほぼ同電圧と考えてよいが、ｎチャネル型のＴＦＴ１１６のオフリーク等を考慮して、電圧Ｖｃｎｔよりも低位となるように調整されることがある。
【００４０】
図９は、映像処理回路３０が行う映像処理の流れを示すフローチャートである。映像処理回路３０は、入力映像信号Ｖｉｄ−ｉｎで印加電圧が指定された画素の１つずつに着目して、図９に示す処理を行う。以下、図９を参照して、入力映像信号Ｖｉｄ−ｉｎが示す映像が静止画である場合の映像処理回路３０の動作例と、入力映像信号Ｖｉｄ−ｉｎが示す映像が動画である場合の映像処理回路３０の動作例とをそれぞれ説明する。
【００４１】
（動作例１）入力映像信号Ｖｉｄ−ｉｎが示す映像が静止画である場合
図１０は、入力映像信号Ｖｉｄ−ｉｎが示す映像が静止画である場合について、（ａ）映像信号Ｖｉｄと、（ｂ）映像処理回路３０の動作と、（ｃ）出力映像信号Ｖｉｄ−ｏｕｔとを説明する図である。ここでは、図５（ａ）、（ｂ）で破線部で囲んで示した映像信号Ｖｉｄに基づく映像処理を例に挙げて説明する。
【００４２】
まず、映像処理回路３０は、映像信号Ｖｉｄに基づいて、単位フレームＮ（Ｎは自然数）において、着目画素に接するリスク境界を検出したかどうかを判定する（ステップＳ１）。ここでは、図１０（ａ）に示す単位フレームＮ−３から単位フレームＮまでの映像信号Ｖｉｄが、映像信号生成部３１で生成された場合を考える。この場合、「ＲＥ」という文字列を付した画素が着目画素となったときに、映像処理回路３０は、当該着目画素に接するリスク境界を検出する。ここで、図１０（ｂ）に示す着目画素Ａ１を特定した場合、映像処理回路３０は、ステップＳ１の処理で「ＹＥＳ」と判定する。
【００４３】
次に、映像処理回路３０は、単位フレームＮで検出したリスク境界が、単位フレームＮ−２に存在するかどうかを判定する（ステップＳ２）。図４、５を用いて説明したように、入力映像信号Ｖｉｄ−ｉｎが静止画を示す場合、単位フレームＮ−２と単位フレームＮとでは、同じ映像Ａが表示される。このため、単位フレームＮ−２と単位フレームＮとでは、各画素に指定される印加電圧が同じとなり、リスク境界が検出される位置も同じとなる。したがって、静止画の表示中においては、映像処理回路３０は、ステップＳ２の処理で「ＹＥＳ」と判定する。ステップＳ２の処理で「ＹＥＳ」と判定した場合、映像処理回路３０は、映像信号Ｖｉｄを補正せずに、映像信号Ｖｉｄを出力映像信号Ｖｉｄ−ｏｕｔとし、データ信号Ｖｘに変換して出力する。
【００４４】
図１０（ｃ）に示すように、映像処理回路３０は、単位フレームＮだけではなく、単位フレームＮ−３、単位フレームＮ−２及び単位フレームＮ−１の映像信号Ｖｉｄについても、映像信号Ｖｉｄを出力映像信号Ｖｉｄ−ｏｕｔとし、データ信号Ｖｘに変換して出力する。このため、静止画の表示中においては、擬似高解像度化による液晶パネル１００の時分割駆動が行われる場合であっても、映像処理回路３０は、映像信号Ｖｉｄを出力映像信号Ｖｉｄ−ｏｕｔとする。
【００４５】
図１２は、従来構成に係る画像の動きを検出して補正対象画素を決定する映像処理の具体例を示す図である。図１２に示すように、従来構成では、１フレーム前と現フレームとの映像信号の比較によって、補正対象画素が決定される。このため、擬似高解像度化による液晶パネルの時分割駆動が行われた場合、静止画の表示中であっても、画像の動きが検出される。よって、動画像の表示時のみに、リバースチルトドメインを抑制する補正をしようとしても、静止画の表示時にも、当該補正が行われてしまう。例えば、静止画を示す映像信号が図１２（ａ）に示す映像信号である場合、図１２（ｂ）に示すとおり、リスク境界に接する画素の映像信号が補正されて出力映像信号となる。この結果、補正対象画素が増大して、静止画の表示品位の低下が目立つ場合がある。これに対し、本動作例１によれば、図１０で説明したように、静止画の表示時に補正対象画素がないため、表示品位の低下が問題とならない。
【００４６】
（動作例２）入力映像信号Ｖｉｄ−ｉｎが示す映像が動画である場合
図１１は、入力映像信号Ｖｉｄ−ｉｎが示す映像が動画である場合について、（ａ）映像信号Ｖｉｄと、（ｂ）映像処理回路３０の動作と、（ｃ）出力映像信号Ｖｉｄ−ｏｕｔとを説明する図である。ここでは、図７で説明したように、暗画素を背景として、明画素がＸ方向に１フレームにつき１画素ずつ移動する場合の動作例を説明する。
【００４７】
まず、映像処理回路３０は、映像信号Ｖｉｄに基づいて、単位フレームＮにおいて、着目画素に接するリスク境界を検出したかどうかを判定する（ステップＳ１）。ここでは、図１１（ａ）に示す単位フレームＮ−３から単位フレームＮまでの映像信号Ｖｉｄが、映像信号生成部３１で生成された場合を考える。図１１（ｂ）に示す着目画素Ａ２を特定した場合、映像処理回路３０は、ステップＳ１の処理で「ＹＥＳ」と判定する。
【００４８】
次に、映像処理回路３０は、単位フレームＮで検出したリスク境界が、単位フレームＮ−２に存在するかどうかを判定する（ステップＳ２）。動画を表示する場合、映像信号Ｖｉｄは、単位フレームＮ−２と単位フレームＮとで、Ｘ方向において１画素分ずれた映像を示す。このため、図１１（ｂ）に示すように、単位フレームＮで検出したリスク境界は、単位フレームＮ−２に存在しない。よって、映像処理回路３０は、ステップＳ２の処理で「ＮＯ」と判定する。
【００４９】
次に、映像処理回路３０は、単位フレームＮの映像信号Ｖｉｄにおいて検出されたリスク境界が、単位フレームＮ−１から単位フレームＮにわたって移動したリスク境界かどうかを判定する（ステップＳ３）。映像処理回路３０は、前述した（判定Ｉ）及び（判定II）の判定処理を行い、単位フレームＮ−１から単位フレームＮにわたって１画素分移動したリスク境界を検出する。ここでは、図１１（ｂ）に示すように、単位フレームＮ−１から単位フレームＮにわたって、着目画素Ａ２が暗画素から明画素に変化しているので、（判定Ｉ）の要件を満たす。更に、単位フレームＮ−１では、着目画素Ａ２を挟んで単位フレームＮとは反対側で、リスク境界が検出されている。このため、（判定II）の要件も満たす。したがって、映像処理回路３０は、ステップＳ３の処理で「ＹＥＳ」と判定する。
なお、着目画素が明画素から暗画素へ変化していたり、映像が１フレームにつき２画素以上移動していたりした場合には、映像処理回路３０は、ステップＳ３の処理で「ＮＯ」と判定する。この場合、映像処理回路３０は、映像信号Ｖｉｄを出力映像信号Ｖｉｄ−ｏｕｔとし、データ信号Ｖｘに変換して出力することとなる。
【００５０】
ステップＳ３の処理で「ＹＥＳ」と判定した場合、映像処理回路３０は、単位フレームＮでリスク境界に接していた着目画素に基づいて、補正対象画素を決定し、映像信号Ｖｉｄを補正する（ステップＳ４）。ここでは、映像処理回路３０は、暗画素を補正対象画素にする場合には、印加電圧Ｖｃ１を指定する映像信号に補正する。映像処理回路３０は、明画素を補正対象画素にする場合には、印加電圧Ｖｃ２を指定する映像信号に補正する。
【００５１】
次に、映像処理回路３０は、ステップＳ４の処理で映像信号Ｖｉｄを補正した画素（即ち補正処理画素）が、予め決められた補正画素数に達したかどうかを判定する（ステップＳ５）。映像処理回路３０は、補正処理画素の数が補正画素数に達するまで、ステップＳ５の処理で「ＮＯ」と判定し、ステップＳ５の処理では、１画素ずつ映像信号Ｖｉｄを補正する。ここでは、リスク境界に接する暗画素及び明画素を補正対象画素とする。そして、映像処理回路３０は、補正後の映像信号を出力映像信号Ｖｉｄ−ｏｕｔとし、データ信号Ｖｘに変換して出力する。
【００５２】
本動作例２では、図１１（ｃ）の単位フレームＮに示すとおり、映像処理回路３０は、リスク境界に接する補正対象画素の映像信号Ｖｉｄを補正する。映像処理回路３０は、単位フレームＮ−３、単位フレームＮ−２及び単位フレームＮ−１の映像信号Ｖｉｄについても、前述の手順により、補正対象画素を決定する。
ところで、図１１（ｃ）の例では、単位フレームＮ−１のリスク境界に接する暗画素及び明画素が、補正対象画素となっている。これは、映像処理回路３０が、図１１（ｃ）に示す着目画素Ｂを特定したときに、ステップＳ３の処理で「ＮＯ」と判定したことを条件として行った補正によるものである。この補正について説明すると、映像処理回路３０は、ステップＳ３の処理で、単位フレームＮ−２から単位フレームＮ−１にわたってリスク境界が移動していないと判定すると（ステップＳ３；ＮＯ）、ステップＳ６の処理に進む。
【００５３】
次に、映像処理回路３０は、単位フレームＮ−１で検出したリスク境界に接する着目画素について、２単位フレーム前の単位フレームＮ−３において、当該着目画素を挟んで単位フレームＮとは反対側で、リスク境界が検出されたかどうかを判定する（ステップＳ６）。映像処理回路３０は、ステップＳ６の処理で「ＹＥＳ」と判定した場合、ステップＳ４の処理に進み、補正対象画素の映像信号Ｖｉｄを補正する。単位フレームＮ−１から単位フレームＮにわたってリスク境界が移動しない場合であっても、単位フレームＮ−２から単位フレームＮ−１にわたってリスク境界が移動していれば、前述した尾引き現象が顕在化する可能性がある。この尾引き現象を目立たなくするために、映像処理回路３０は、ステップＳ６の条件を満たした場合にも、映像信号Ｖｉｄを補正する。
以上のとおり、液晶パネル１００が動画を表示中のときには、映像処理回路３０は、補正対象画素を決定して、尾引き現象が目立ちにくくなるように、映像信号Ｖｉｄを補正する。
【００５４】
本発明は、上述した実施形態と異なる形態で実施することが可能である。また、以下に示す変形例は、各々を適宜に組み合わせてもよい。
（変形例１）
上述した実施形態では、映像処理回路３０は、（判定Ｉ）及び（判定II）からなる判定処理を行って、単位フレームｋ−１から単位フレームｋにわたって移動したリスク境界を検出していた。これに代えて、映像処理回路３０は、（判定Ｉ）のみの判定処理を行って、単位フレームｋ−１から単位フレームｋにわたって移動したリスク境界を検出してもよい。前述したように、暗画素を背景として明画素が配置された映像では、暗画素から明画素に変化した場合には、リスク境界が１画素分移動している可能性が高いからである。この変形例によれば、映像処理回路３０の判定処理に係る処理量が減る。
また、映像処理回路３０は、１フレームにつき１画素分移動したリスク境界だけでなく、１フレームにつき２画素分以上移動したリスク境界を検出してもよい。
【００５５】
（変形例２）
上述した実施形態では、液晶１０５にＶＡ方式を用いた例を説明したが、ＴＮ（Twisted Nematic）方式としてもよい。ノーマリーホワイトの液晶パネルの場合、画素１１０に印加する電圧と透過率との関係が、ノーマリーブラックの液晶パネルの場合とは逆となり、透過率が低い場合ほど、画素１１０に印加されるべき電圧が大きくなる。この場合、映像処理回路３０は、上述した実施形態の第１画素の条件によって明画素を規定し、第２画素の条件によって暗画素を規定することができる。
【００５６】
（変形例３）
本発明は、前述した擬似高解像度化を採用した電気光学装置１への適用に限らず、単位フレーム毎に、第１の映像と、当該第１の映像を平行移動した第２の映像とが交互に切り替わる映像を示す映像信号に基づいて液晶パネルを駆動する装置に適用可能である。例えば、フレームシーケンシャル方式で３Ｄ映像を表示する場合、左目用画像と右目用画像とを単位フレーム毎の交互に切り替えて表示することがある。この際、視差を与えるために、左目用画像と、当該左目用画像を平行移動（シフト）させた右目用画像とが使用される。この場合、左目用画像と右目用画像とのどちらか一方を映像Ａ、他方を映像Ｂと観念することができる。この場合にも、上述した実施形態と同様の作用により、静止画の表示品位を抑えつつリバースチルトドメインが抑制される。
また、映像処理回路３０は、映像信号生成部３１を有さなくてもよい。この場合、映像処理回路３０は、外部装置から供給された映像Ａ又は映像Ｂを示す映像信号Ｖｉｄ−ｄに基づいて、各種の映像処理を行う。
また、映像Ａ又は映像Ｂが連続するサブフレーム数、即ち、単位フレームを構成するサブフレーム数は２に限られず、３以上であってもよい。
【００５７】
（変形例４）
上述した実施形態では、映像処理回路３０は、ステップＳ６の処理で「ＹＥＳ」と判断した場合に、映像信号Ｖｉｄを補正していたが、この補正が省略されてもよい。
また、境界検出部３２は、暗画素と明画素とのリスク境界の一部であって、液晶１０５のチルト方位で定まるリスク境界を検出してもよい。この場合、境界検出部３２は、液晶１０５のチルト方位に応じて、リバースリストドメインの発生原因となりやすい方向のリスク境界を検出する。
【００５８】
（変形例５）
シフトデバイス２００は、光路をシフトさせる機能を有する素子であれば、液晶層以外の素子（装置）であってもよい。例えば、シフトデバイス２００は、ＭＥＭＳによる機械方式で実現されてもよい。
【００５９】
（変形例６）
上述した実施形態では、映像処理回路３０は、実質的に、単位フレームｋ−２、ｋ−１及びｋの３つの単位フレームの映像信号Ｖｉｄを保持し、各単位フレームの映像信号Ｖｉｄに基づいて、リスク境界を検出していた。この場合、映像処理回路３０は、３つの単位フレームについて、画素毎の印加電圧を示すデータ（例えば８ビット）を保持する。これに代えて、映像処理回路３０は、単位フレームｋよりも前の単位フレームｋ−２、ｋ−１については、印加電圧を示すデータではなく、リスク境界の有無を示すデータを保持してもよい。この場合、映像処理回路３０は、単位フレームｋ−２、ｋ−１の２つの単位フレームについては、画素毎にリスク境界の有無を示すデータ（例えば１ビット）を保持するだけでよい。この変形例によれば、映像処理回路３０が保持すべきデータ量が減る。
【００６０】
（変形例７）
暗画素及び明画素は、上述した実施形態の条件以外の条件によって規定されてもよい。例えば、画素１１０に対して指定された印加電圧が予め決められた閾値（第３閾値電圧）以上である画素を暗画素とし、指定された印加電圧がこの閾値よりも大きい閾値（第４閾値電圧）以上である画素を明画素としてもよい。また、隣り合う２つの画素の印加電圧の差（電圧差）が閾値以上である場合に、高電位側の画素を明画素とし、低電位側の画素を暗画素としてもよい（ノーマリーブラックモードの場合）。
即ち、暗画素及び明画素は、隣り合う２つの画素であって、或る印加電圧が指定された画素１１０と、これよりも大きい印加電圧が指定された画素１１０との組み合わせによって構成されていれば、それ以外の条件についてはどのように規定されてもよい。
液晶パネル１００は、透過型に限られず、反射型であってもよい。
電気光学装置１は、４倍速駆動に限られず、例えば２倍速駆動や８倍速駆動等の他の倍速駆動を採用する装置であってもよいし、等倍速の駆動を採用する装置であってもよい。
【００６１】
次に、上述した実施形態では、電気光学装置１を適用可能な電子機器の一例として、液晶パネル１００をライトバルブとして用いたプロジェクター２１００について説明した。電子機器としては、図１を参照して説明したプロジェクター２１００の他にも、テレビジョンや、ビューファインダー型・モニター直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、スマートフォン、タブレット型端末、タッチパネルを備えた機器等が挙げられる。そして、これらの各種の電子機器に対して、電気光学装置１が適用可能である。
【符号の説明】
【００６２】
１…電気光学装置、１０…制御回路、２０…走査制御回路、３０…映像処理回路、４０…シフト制御回路、１００…液晶パネル、１００ａ…素子基板、１００ｂ…対向基板、１０５…液晶、１０８…コモン電極、１１０…画素、１１８…画素電極、３１…映像信号生成部、３２…境界検出部、３２１…第１境界検出部、３２２…遅延回路、３２３…第２境界検出部、３２４…遅延回路、３２５…第３境界検出部、３３…補正処理部、３３１…第１判定部、３３２…第２判定部、３３３…補正部、３４…Ｄ／Ａ変換部、２００…シフトデバイス、２１００…プロジェクター。
【図１】
2015138149.tif 000003
【図２】
2015138149.tif 000004
【図３】
2015138149.tif 000005
【図４】
2015138149.tif 000006
【図５】
2015138149.tif 000007
【図６】
2015138149.tif 000008
【図７】
2015138149.tif 000009
【図８】
2015138149.tif 000010
【図９】
2015138149.tif 000011
【図１０】
2015138149.tif 000012
【図１１】
2015138149.tif 000013
【図１２】
2015138149.tif 000014